(57)【特許請求の範囲】
【請求項１】
光源を有する照明光学装置と、
前記照明光学装置から射出された光束を複数の色光に分離する色分離光学装置と、
前記複数の色光をそれぞれ画像情報に応じて変調して合成し、画像光を形成する画像形成装置と、
前記照明光学装置を収納する第１筐体と、
前記色分離光学装置を収納する第２筐体と、
前記第１筐体を支持する第１支持部と、
前記第１筐体と分離して前記第２筐体を保持する第２支持部と、を備え、
前記色分離光学装置は、前記第２筐体内で、前記色分離光学装置によって分離された前記複数の色光が有する光軸を含む面が、前記照明装置から射出される光束に対して略垂直になるように配置され、
前記第２筐体は、第１ケースと、前記面に対して略垂直な方向に前記第１ケースに取り付けられる第２ケースと、を有し、
前記第２支持部は、前記第１ケースおよび前記第２ケースのうち一方を支持することを特徴とするプロジェクタ。
【請求項２】
請求項１に記載のプロジェクタであって、
前記色分離光学装置は、前記第１ケースに収納され、
前記第２支持部は、前記第１ケースを支持することを特徴とするプロジェクタ。
【請求項３】
請求項１または請求項２に記載のプロジェクタであって、
前記照明光学装置は、
前記光源から射出された光束を複数の部分光束に分割する複数の第１小レンズを有する第１レンズアレイと、
前記複数の第１小レンズにそれぞれ対応する複数の第２小レンズを有する第２レンズアレイと、を備え、
前記第１筐体は、内部に前記第１レンズアレイおよび前記第２レンズアレイがそれぞれ設置される溝部を有し、前記溝部に対応する外側の側壁近傍を前記第１支持部により支持されることを特徴とするプロジェクタ。
【請求項４】
請求項１〜請求項３のいずれか一項に記載のプロジェクタであって、
前記画像形成装置は、反射型液晶パネルを備えることを特徴とするプロジェクタ。
【請求項５】
請求項１〜請求項４のいずれか一項に記載のプロジェクタであって、
前記第１支持部および第２支持部の少なくとも一方は、当該プロジェクタの外装を構成する外装筐体と一体的に構成されていることを特徴とするプロジェクタ。
【発明の詳細な説明】
【技術分野】
【０００１】
本発明は、画像光を投写するプロジェクタに関する。
【背景技術】
【０００２】
従来、光源を有する照明光学装置、照明光学装置から射出された光束を複数の色光に分離する色分離光学装置、および複数の色光をそれぞれ画像情報に応じて変調して合成し、画像光を形成する画像形成装置を備えたプロジェクタが知られている。
このプロジェクタは、光源の点灯に伴って、光源自身や内部部品の温度上昇を招き、それらの部品の性能や機能を低下させるため、その温度上昇を抑制するために、冷却ファンが備えられている（例えば、特許文献１参照）。
【０００３】
特許文献１のプロジェクタは、光学部品を収納する光学部品用筐体、冷却ファンとしてのシロッコファン、軸流ファン等を備えている。
光学部品用筐体は、所定方向に長く延出した直方体状を有し、照明光学装置、色分離光学装置および画像形成装置（電気光学装置）等の光学部品を収納する。シロッコファンは、照明光学装置の近傍に配置され、照明光学装置に空気を送風する。軸流ファンは、照明光学装置近傍の外装筐体内の端部に配置され、照明光学装置周囲の空気を外部に排気する。
【０００４】
【特許文献１】特開２００７−２５６８９９号公報
【発明の開示】
【発明が解決しようとする課題】
【０００５】
しかしながら、特許文献１に記載の技術は、冷却ファンが駆動されることによる振動が光学部品用筐体に伝達すると、光学部品用筐体に収納されている色分離光学装置や画像形成装置等を構成する光学部品が振動する虞がある。これらの光学部品が振動すると、適正な色光に分離できなかったり、画像光が振動したりすることによって、画像光の画質が劣化する虞がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクタは、光源を有する照明光学装置、前記照明光学装置から射出された光束を複数の色光に分離する色分離光学装置、および前記複数の色光をそれぞれ画像情報に応じて変調して合成し、画像光を形成する画像形成装置を備えたプロジェクタであって、前記照明光学装置を収納する第１筐体と、少なくとも前記色分離光学装置を収納する第２筐体と、前記第１筐体および前記第２筐体を保持する保持部材と、を備え、前記第１筐体と前記第２筐体とは、分離して前記保持部材に保持されていることを特徴とする。
【０００８】
このプロジェクタによれば、照明光学装置を収納する第１筐体は、第２筐体と分離されているので、第２筐体には、照明光学装置の重量負荷が加わらない。これによって、照明光学装置および色分離光学装置を収納する光学部品用筐体が一体的に構成された場合に比べて、冷却ファンの駆動等に伴う振動が発生した際の、色分離光学装置に加わる振動負荷を軽減させることが可能となる。また、色分離光学装置の光束射出側に配置される画像形成装置に対しても第１筐体と分離することができるので、画像形成装置に加わる振動負荷を軽減させることも可能となる。したがって、プロジェクタは、画質の良好な画像光を形成して投写することが可能となる。
【０００９】
［適用例２］上記適用例に係るプロジェクタにおいて、前記保持部材は、当該プロジェクタの据置き状態において、前記第１筐体の下方に位置する支持部を有し、前記第１筐体は、前記支持部に保持されていることが好ましい。
ここで、据置き状態とは、プロジェクタを床面や机上に据置いた状態のことをいう。
【００１０】
このプロジェクタによれば、第１筐体は、プロジェクタの据置き状態において、下方に位置する支持部に保持されている。これによって、例えば、第１筐体が側方に配置された保持部材に片持ちによって保持される場合に比べて、照明光学装置をバランス良く支えることが可能となる。よって、冷却ファンの駆動等に伴う振動が発生した際に、第１筐体の振動が抑制されるので、色分離光学装置や画像形成装置等に伝達される振動負荷を軽減することが可能となる。
【００１１】
［適用例３］上記適用例に係るプロジェクタにおいて、前記照明光学装置は、前記光源から射出された光束を複数の部分光束に分割する複数の第１小レンズを有する第１レンズアレイと、前記複数の第１小レンズにそれぞれ対応する複数の第２小レンズを有する第２レンズアレイと、を備え、前記第１筐体は、前記第１レンズアレイおよび前記第２レンズアレイの近傍が前記支持部に締結されていることが好ましい。
【００１２】
このプロジェクタによれば、第１筐体は、第１レンズアレイおよび第２レンズアレイの近傍が支持部に締結されているので、第１レンズアレイおよび第２レンズアレイは、支持部に対して強固に位置決めされることが可能となる。これによって、冷却ファンの駆動等に伴う振動が発生した際に、第１レンズアレイおよび第２レンズアレイが振動することが抑制されるので、照明ムラ等が抑制されてさらに画質の良好な画像光を形成することが可能となる。
【００１３】
［適用例４］上記適用例に係るプロジェクタにおいて、前記画像形成装置は、反射型液晶パネルを備えることが好ましい。
【００１４】
このプロジェクタによれば、色分離光学装置や画像形成装置への振動負荷を軽減させるとともに、画像形成装置が反射型液晶パネルを備えているので、解像度の高い画像光を投写することが可能となる。
【００１５】
［適用例５］上記適用例に係るプロジェクタにおいて、前記保持部材は、当該プロジェクタの外装を構成する外装筐体と一体的に構成されていることが好ましい。
【００１６】
このプロジェクタによれば、保持部材は、例えば、据置き状態における外装筐体の下面側を構成するロアーケースと一体的に構成することで、部品点数を削減することが可能となり、生産効率の向上、低コスト化を図ることが可能となる。
【発明を実施するための最良の形態】
【００１７】
以下、本実施形態に係るプロジェクタについて、図面を参照して説明する。
本実施形態のプロジェクタは、光源から射出される光束を画像情報に応じて変調して画像光を形成し、この画像光をスクリーン等に拡大投写する。
図１は、プロジェクタの概略構成を模式的に示す図である。
図１に示すように、プロジェクタ１は、光学ユニット２、機器本体を収納し外装を構成する外装筐体３、外装筐体３内を冷却する冷却ファン４、画像情報に各種処理を施す制御部、制御部等に電力を供給する電源ユニット（いずれも図示せず）等を備える。
【００１８】
光学ユニット２は、制御部による制御の下、光源２１１１から射出された光束を光学的に処理して画像情報に対応した画像光を形成して投写するユニットである。
光学ユニット２は、照明光学装置２１０、重畳レンズ２２０、色分離光学装置２３０、リレーレンズ２４０Ｒ，２４０Ｂ、偏光板２５０Ｒ，２５０Ｇ，２５０Ｂ、平行化レンズ２６０Ｒ，２６０Ｇ，２６０Ｂ、画像形成装置２７０、投写光学装置としての投写レンズ２８０、第１筐体５、第２筐体６、および保持部材７（図２参照）を備える。
【００１９】
照明光学装置２１０は、光源装置２１１、第１レンズアレイ２１２、第２レンズアレイ２１３、および偏光変換素子２１４を備える。
光源装置２１１は、光源２１１１、リフレクタ２１１２、および光源用筐体２１１３等を有している。光源２１１１は、超高圧水銀ランプで構成され、光束を射出する。リフレクタ２１１２は、放物面鏡を有しており、光源２１１１から射出された放射状の光束を反射して略平行の光束として第１レンズアレイ２１２へと射出する。光源用筐体２１１３は、光源２１１１、リフレクタ２１１２を収納し、光学ユニット２に対して着脱可能に構成されている。なお、光源２１１１としては、超高圧水銀ランプに限らず、例えばメタルハライドランプ等を採用してもよい。また、リフレクタ２１１２としては、放物面鏡に限らず、楕円面鏡からなるリフレクタ２１１２の射出面に平行化凹レンズを配置した構成を採用してもよい。
【００２０】
第１レンズアレイ２１２は、光軸Ｌ方向から見て略矩形の輪郭を有する複数の第１小レンズがマトリクス状に配列された構成を有しており、光源２１１１から射出された光束を複数の部分光束に分割する。
第２レンズアレイ２１３は、第１レンズアレイ２１２の複数の第１小レンズにそれぞれ対応する複数の第２小レンズを有し、偏光変換素子２１４の射出側に配置される重畳レンズ２２０とともに、部分光束を後述する反射型液晶パネル２７２Ｒ，２７２Ｇ，２７２Ｂの表面に略重畳させる。
偏光変換素子２１４は、ランダム偏光の光束を一方向の偏光光に揃える機能を有しており、本実施形態では、Ｐ偏光光に揃えている。
【００２１】
色分離光学装置２３０は、照明光学装置２１０から射出された光束（Ｐ偏光光）を、Ｒ光、Ｇ光、Ｂ光の３色の色光に分離する機能を有しており、Ｂダイクロイックミラー２３１、ＲＧダイクロイックミラー２３２、Ｇダイクロイックミラー２３３、および反射ミラー２３４，２３５を備えている。
【００２２】
Ｂダイクロイックミラー２３１は、板状に形成された略同一形状の２枚で構成され、ＲＧダイクロイックミラー２３２は、板状に形成された１枚で構成されている。そして、Ｂダイクロイックミラー２３１およびＲＧダイクロイックミラー２３２は、平面視においてＸ状になるように構成され、それぞれが光軸Ｌに対して略４５°の傾斜を有して配置されている。なお、Ｂダイクロイックミラー２３１を１枚で構成し、ＲＧダイクロイックミラー２３２を２枚で構成してもよい。また、Ｂダイクロイックミラー２３１およびＲＧダイクロイックミラー２３２をそれぞれ２枚で構成してもよい。
【００２３】
照明光学装置２１０から射出された光束のうち、Ｂ光の成分は、Ｂダイクロイックミラー２３１によって反射され、さらに反射ミラー２３４によって反射されてリレーレンズ２４０Ｂを透過した後、偏光板２５０Ｂに至る。一方、照明光学装置２１０から射出された光束のうち、Ｇ光、Ｒ光の成分は、ＲＧダイクロイックミラー２３２によって反射され、さらに反射ミラー２３５によって反射されてリレーレンズ２４０Ｒを透過した後、Ｇダイクロイックミラー２３３に至る。その中のＧ光の成分は、Ｇダイクロイックミラー２３３で反射されて偏光板２５０Ｇに至り、Ｒ光の成分は、Ｇダイクロイックミラー２３３を透過して、偏光板２５０Ｒに至る。
【００２４】
リレーレンズ２４０Ｂは、反射ミラー２３４によって反射されたＢ光を効率良く反射型液晶パネル２７２Ｂに導く機能を有している。同様に、リレーレンズ２４０Ｒは、反射ミラー２３５によって反射されたＲ光を効率良く反射型液晶パネル２７２Ｒに導く機能を有している。
【００２５】
偏光板２５０Ｒ，２５０Ｇ，２５０Ｂは、平行化レンズ２６０Ｒ，２６０Ｇ，２６０Ｂにそれぞれ貼り付けられており、コントラスト化を高めるために備えられている。そして、偏光板２５０Ｒ，２５０Ｇ，２５０Ｂは、色分離光学装置２３０から射出された各色光のＰ偏光光は透過し、偏光変換素子２１４にて揃えきれずに射出されたＳ偏光光を吸収する。
【００２６】
平行化レンズ２６０Ｒ，２６０Ｇ，２６０Ｂは、照明光学装置２１０からの複数の部分光束が略平行な光束となって反射型液晶パネル２７２Ｒ，２７２Ｇ，２７２Ｂをそれぞれ照明するように設定されている。
【００２７】
画像形成装置２７０は、偏光選択素子２７１Ｒ，２７１Ｇ，２７１Ｂと、光変調装置としての反射型液晶パネル２７２Ｒ，２７２Ｇ，２７２Ｂと、光合成部としてのクロスダイクロイックプリズム２７３とを有している。
【００２８】
偏光選択素子２７１Ｒは、板状に形成されており、入射する色光の光軸に対して略４５°の傾斜で配置されている。偏光選択素子２７１Ｒは、所定の方向の偏光成分であるＰ偏光光を透過し、Ｐ偏光光と直交する方向の偏光成分であるＳ偏光光を反射する機能を有している。そして、偏光選択素子２７１Ｒは、平行化レンズ２６０Ｒから射出されたＲ光（Ｐ偏光光）を透過して反射型液晶パネル２７２Ｒに射出し、反射型液晶パネル２７２Ｒで反射されたＲ光のうち、Ｓ偏光光を反射してクロスダイクロイックプリズム２７３に射出する。
【００２９】
偏光選択素子２７１Ｇ，２７１Ｂは、偏光選択素子２７１Ｒと同様の機能を有し、平行化レンズ２６０Ｇ，２６０Ｂから射出されたＧ光（Ｐ偏光光）、Ｂ光（Ｐ偏光光）を透過して反射型液晶パネル２７２Ｇ，２７２Ｂにそれぞれ射出し、反射型液晶パネル２７２Ｇ，２７２Ｂで反射されたＧ光、Ｂ光のうち、Ｓ偏光光を反射してクロスダイクロイックプリズム２７３にそれぞれ射出する。なお、本実施形態では、照明光学装置２１０がＰ偏光光を射出し、画像形成装置２７０等の光学部品がそのＰ偏光光に対応するように構成されているが、照明光学装置２１０がＳ偏光光を射出し、画像形成装置２７０等の光学部品がそのＳ偏光光に対応するように構成してもよい。
【００３０】
反射型液晶パネル２７２Ｒ，２７２Ｇ，２７２Ｂは、対向する基板間に液晶層が挟持された構造を有しており、一方の基板には、スイッチング素子が接続された反射画素電極がマトリクス状に設けられ、他方の基板（透明基板）には、対向電極が形成されている。そして、反射画素電極と対向電極との間に電圧が印加されて液晶層の駆動が行われ、偏光選択素子２７１Ｒ，２７１Ｇ，２７１Ｂをそれぞれ透過したＲ光、Ｇ光、Ｂ光を画像信号に応じて変調する。反射型液晶パネル２７２Ｒ，２７２Ｇ，２７２Ｂは、配線部やスイッチング素子を反射層の下方に形成できるため、高解像度化に適している。
【００３１】
クロスダイクロイックプリズム２７３は、４つの直角プリズムを貼り合わせた平面視略正方形状をなし、直角プリズムを貼り合わせた界面には、誘電体多層膜２７３１，２７３２が設けられている。誘電体多層膜２７３１は、Ｇ光を透過してＲ光を反射し、誘電体多層膜２７３２は、Ｇ光を透過してＢ光を反射する。そして、クロスダイクロイックプリズム２７３は、偏光選択素子２７１Ｒ，２７１Ｇ，２７１Ｂから射出された各色光の変調光を合成してカラー画像を表す画像光を形成し、投写レンズ２８０に射出する。
【００３２】
投写レンズ２８０は、複数のレンズを組み合わせた組レンズとして構成され、画像形成装置２７０にて形成された画像光をスクリーン等に拡大投写する。
【００３３】
第１筐体５は、照明光学装置２１０を収納する。
第２筐体６は、重畳レンズ２２０、色分離光学装置２３０、リレーレンズ２４０Ｒ，２４０Ｂ、偏光板２５０Ｒ，２５０Ｇ，２５０Ｂおよび平行化レンズ２６０Ｒ，２６０Ｇ，２６０Ｂを収納する。
保持部材７（図２参照）は、第１筐体５および第２筐体６を分離して保持する。
各光学部品は、第１筐体５および第２筐体６が保持部材７に保持されることによって光軸Ｌに対して所定の位置に配置される。
【００３４】
冷却ファン４は、光源装置２１１の近傍に配置され、光源２１１１に空気を送風するランプファン４１と、光源装置２１１近傍の外装筐体３内の端部に配置され、外装筐体３内の空気を外部に排気する排気ファン４２とを有している。
【００３５】
制御部は、ＣＰＵ（Central Processing Unit）やＲＯＭ（Read Only Memory）、ＲＡＭ（Random Access Memory）等を備え、コンピュータとして機能するものであり、プロジェクタ１の動作の制御、例えば、画像光の投写に関わる制御、冷却ファン４の駆動電圧制御等を行う。
【００３６】
電源ユニットは、詳しい図示を省略するが、電源ブロックと光源駆動ブロックとを備え、制御部等の電子部品および光源２１１１に電力を供給する。
【００３７】
ここで、第１筐体５、第２筐体６および保持部材７の構成について詳細に説明する。
図２、図３は、投写レンズ２８０を除く光学ユニット２の斜視図である。具体的に、図２は、プロジェクタ１を床面や机上に据置き、据置き状態にした際の光学ユニット２を前方上側から見た斜視図であり、図３は、後方上側から見た斜視図である。なお、以下では、説明の便宜上、光源装置２１１から光束が射出される方向を「左」（−Ｘ方向）、図２における図面視において、前を「前」（＋Ｙ方向）、上を「上」（＋Ｚ方向）として記載する。
【００３８】
図２、図３に示すように、光学ユニット２は、左右方向（±Ｘ方向）に長く延出するように構成され、右側（＋Ｘ方向）には、第１筐体５が配置され、左側（−Ｘ方向）には、第２筐体６が配置される。そして、第１筐体５の端部には、光源装置２１１が配置されており、光源装置２１１は、左方向（−Ｘ方向）に向かって光束を射出する。
第２筐体６は、色分離光学装置２３０によって分離された各色光の光軸を含む仮想平面（以下「分離光平面」という）が鉛直面（Ｙ−Ｚ平面）に沿うように配置されている。そして、右方向（＋Ｘ方向）から第２筐体６に入射した光束は、第２筐体６の前方（＋Ｙ方向）から射出される。つまり、第２筐体６は、第１筐体５からの光束の射出方向に対して、分離光平面が略垂直になるように構成されている。このように構成することによって光学ユニット２の小型化を図ることができる。
保持部材７は、第１筐体５の下方（−Ｚ方向）に位置する第１支持部７１、および第１支持部７１に取付けられ、第１筐体５と第２筐体６との間に位置する第２支持部７２を有して構成される。
なお、画像形成装置２７０は、偏光選択素子２７１Ｒ，２７１Ｇ，２７１Ｂ、反射型液晶パネル２７２Ｒ，２７２Ｇ，２７２Ｂ、およびクロスダイクロイックプリズム２７３がユニットとして構成され、投写レンズ２８０に取付けられて第２筐体６前方（＋Ｙ方向）に配置されている。
【００３９】
第１筐体５について詳細に説明する。
図４は、第１筐体５および第２筐体６を保持部材７から分解した状態を示す斜視図であり、光源装置２１１を取り外した状態を示す図である。
図４に示すように、第１筐体５は、ＢＭＣ（Bulk Molding Compound）等の高耐熱材料で箱状に形成され、下側（−Ｚ方向）を構成する容器状の下ケース５１と、上側（＋Ｚ方向）を構成する蓋状の上ケース５２とを有している。なお、下ケース５１および上ケース５２はＢＭＣに限らず、他の高耐熱材料、例えばガラス繊維入りの合成樹脂等であってもよい。
【００４０】
図５は、下ケース５１および下ケース５１に収納される光学部品を示す斜視図であり、第１筐体５が保持部材７に保持された姿勢における左前方上側から見た図である。
図４、図５に示すように、下ケース５１は上側（＋Ｚ方向）が開口部となる容器状に形成されており、その略中央部には側壁５１３が設けられ、右側（＋Ｘ方向）と左側（−Ｘ方向）とに凹部５１１，５１２が形成されている。そして、側壁５１３には、開口部５１４が形成されている。
【００４１】
凹部５１２の左側の側壁５１５には、開口部５１６が形成され、凹部５１２の内壁面には、上下方向に沿って複数の溝が設けられている。凹部５１２の前面側および背面側の側壁の下部、つまり第１レンズアレイ２１２および第２レンズアレイ２１３の外側には、凹部５１２と反対方向に突出するリブが形成されている。そして、そのリブには、第１筐体５を保持部材７に取付けるためのネジが挿通される孔５１７がそれぞれ設けられている（後方側のリブおよび孔５１７は、図示せず）。凹部５１２を形成している側壁の上面には、上ケース５２を取付けるための複数のネジ穴５１８が設けられている。
【００４２】
光源装置２１１は、凹部５１１に対して着脱可能に取付けられ、第１レンズアレイ２１２、第２レンズアレイ２１３、および偏光変換素子２１４は、側端部が凹部５１２の内壁面の溝に挿入されて下ケース５１に組み込まれる。
【００４３】
上ケース５２は、図４、図５に示すように、下ケース５１の凹部５１２を閉塞するように形成され、外周近傍には、下ケース５１のネジ穴５１８に対応する位置にネジＳＣが挿通される孔が形成されている。そして、上ケース５２は、ネジＳＣによって下ケース５１に取付けられ、第１レンズアレイ２１２、第２レンズアレイ２１３、および偏光変換素子２１４の上方を覆う。
【００４４】
光源装置２１１から射出される光束は、図４、図５に示すように、開口部５１４を通過して凹部５１２に入射し、第１レンズアレイ２１２等の光学部品を透過して開口部５１６から重畳レンズ２２０に射出される。
【００４５】
次に、第２筐体６について詳細に説明する。
第２筐体６は、合成樹脂製であり、図３、図４に示すように、前側（＋Ｙ方向）の上部と下部とが突出する箱状に形成され、右側（＋Ｘ方向）を構成する容器状の右ケース６１と、左側（−Ｘ方向）を構成する蓋状の左ケース６２とを有している。
【００４６】
図６は、右ケース６１および右ケース６１に収納される光学部品を示す斜視図であり、第２筐体６が保持部材７に保持された姿勢における左側後方から見た図である。
図６に示すように、右ケース６１は、左側（−Ｘ方向）が開口部となる容器状に形成され、その内壁面には、左右方向（±Ｘ方向）に沿って複数の溝が設けられている。そして、左側（−Ｘ方向）端面には、略均等間隔に左ケース６２を取付けるための複数のネジ穴６１５が設けられている。
【００４７】
図４に示すように、右ケース６１の右側（＋Ｘ方向）の側壁６１１には、矩形状の透孔６１２が形成され、側壁６１１の透孔６１２の外側には、第２筐体６を保持部材７に取付けるためのネジが挿通される複数の孔６１４が形成されている。
右ケース６１の前面側（＋Ｙ方向）の突出している側壁には、矩形状の透孔６１３Ｒ，６１３Ｂが上部（＋Ｚ方向）、下部（−Ｚ方向）にそれぞれ形成されている。また、透孔６１３Ｒが形成されている側壁に隣接する側壁には、透孔６１３Ｇが形成されている（図６参照）。
【００４８】
重畳レンズ２２０は、図４に示すように、側壁６１１の内側に配置され、右ケース６１に設けられた図示しない突起部と、板バネＳＰとによって取付けられている。
Ｂダイクロイックミラー２３１およびＲＧダイクロイックミラー２３２は、図６に示すように、互いが略直交するようにホルダユニット２０に保持されて右ケース６１の後方（−Ｙ方向）の略中央部、つまり重畳レンズ２２０の光束射出側に配置されている。
【００４９】
図７は、Ｂダイクロイックミラー２３１、ＲＧダイクロイックミラー２３２およびホルダユニット２０を示す斜視図であり、右ケース６１に取付けられた状態を左側後方から見た図である。
図７に示すように、ホルダユニット２０は、Ｂダイクロイックミラー２３１、およびＲＧダイクロイックミラー２３２の位置決めを行うためのホルダ本体２００と、Ｂダイクロイックミラー２３１、およびＲＧダイクロイックミラー２３２をホルダ本体２００に固定するための複数の板バネＳＰを有して構成されている。
【００５０】
ホルダ本体２００は、合成樹脂製であり、Ｂダイクロイックミラー２３１、およびＲＧダイクロイックミラー２３２の幅方向の位置決めを行うためのベース部２０１およびガイド部２０２と、ベース部２０１とガイド部２０２との間に橋渡しされ、Ｂダイクロイックミラー２３１、およびＲＧダイクロイックミラー２３２の角度の位置決めを行うための互いに略直交する板状部２０４，２０３とを有している。
【００５１】
ベース部２０１およびガイド部２０２の右側（＋Ｘ方向）端部には、板状部２０３と反対側に突出する突起部が設けられており、その突起部には、ホルダユニット２０を右ケース６１に取付けるためのネジが挿通される孔２０５が形成されている（ガイド部２０２の突起部および孔２０５は図示せず）。また、ベース部２０１およびガイド部２０２には、板バネＳＰを取付けるための複数の孔が設けられている。
【００５２】
ＲＧダイクロイックミラー２３２は、光束が入射する面と反対側の面が板状部２０３と当接し、縁部が板バネＳＰによって挟持されてホルダ本体２００に固定される。
２枚のＢダイクロイックミラー２３１は、互いの端面がＲＧダイクロイックミラー２３２を介して対向して配置される。そして、一方のＢダイクロイックミラー２３１は、光束が入射する面と反対側の面が板状部２０４と当接し、縁部が板バネＳＰによって挟持されてホルダ本体２００に固定され、他方のＢダイクロイックミラー２３１は、縁部が、ホルダ本体２００に設けられた図示しない突起部と当接し、板バネＳＰによって挟持されてホルダ本体２００に固定される。
Ｂダイクロイックミラー２３１、ＲＧダイクロイックミラー２３２およびホルダユニット２０は、孔２０５にネジが挿通されて、右ケース６１に固定される。
【００５３】
反射ミラー２３４，２３５、Ｇダイクロイックミラー２３３、リレーレンズ２４０Ｒ，２４０Ｂ、偏光板２５０Ｒ，２５０Ｇ，２５０Ｂおよび平行化レンズ２６０Ｒ，２６０Ｇ，２６０Ｂは、図６に示すように、側端部が右ケース６１の内壁面の溝に挿入されて右ケース６１に組み込まれる（偏光板２５０Ｇ、平行化レンズ２６０Ｇは、図示せず）。
【００５４】
反射ミラー２３４，２３５は、Ｂダイクロイックミラー２３１およびＲＧダイクロイックミラー２３２側の角部がそれぞれ面取りされた面２３４１，２３５１を有しており、Ｂダイクロイックミラー２３１およびＲＧダイクロイックミラー２３２に対して近設して配置されている。これによって、光学ユニット２は、上下方向（±Ｚ方向）の寸法が小さくなるように構成されている。
【００５５】
左ケース６２は、図３に示すように、右ケース６１の開口部を閉塞するように形成され、外周近傍には、右ケース６１のネジ穴６１５に対応する位置にネジＳＣが挿通される孔が形成されている。そして、左ケース６２は、ネジＳＣによって右ケース６１に取付けられる。
【００５６】
図４、図６に示すように、照明光学装置２１０から射出される光束は、透孔６１２から重畳レンズ２２０に入射し、Ｂダイクロイックミラー２３１、およびＲＧダイクロイックミラー２３２は、重畳レンズ２２０から射出された光束を各色光に分離すると共に、上下方向（±Ｚ方向）に反射させている。さらにＧダイクロイックミラー２３３で各色光に分離された後、平行化レンズ２６０Ｒ，２６０Ｇ，２６０Ｂを透過して透孔６１３Ｒ，６１３Ｇ，６１３Ｂから画像形成装置２７０に射出される。
このように、重畳レンズ２２０、色分離光学装置２３０、リレーレンズ２４０Ｒ，２４０Ｂ、偏光板２５０Ｒ，２５０Ｇ，２５０Ｂおよび平行化レンズ２６０Ｒ，２６０Ｇ，２６０Ｂは、分離光平面がＹ−Ｚ平面に沿うように第２筐体６に配置される。
【００５７】
次に、保持部材７について詳細に説明する。
前述したように、保持部材７は、第１支持部７１および第２支持部７２を備える。
図４に示すように、第１支持部７１は、金属や剛性の高い合成樹脂等で直方体状に形成されており、その上面には、第１筐体５を取付けるための上方に向かって突出する複数のボス７１１が設けられている。ボス７１１には、ネジ穴７１２が形成されており、ネジ穴７１２は、下ケース５１の孔５１７に対応する位置に設けられている。
【００５８】
第２支持部７２は、板金で形成され、略直角となるＬ字状に屈曲加工されており、一方の片を構成する垂直部７２１と、他方の片を構成する水平部７２２とを有している。
垂直部７２１は、Ｌ字状の凹側となる面７２１Ａと、その反対側の面７２１Ｂとを有し、略中央部には、照明光学装置２１０から射出される光束が通過する矩形状の透孔７２１１が形成されている。そして、透孔７２１１の外側には、第２筐体６を取付けるための、右ケース６１の孔６１４に対応する複数のネジ穴７２１２が形成されている。
第２支持部７２は、屈曲されている部位がビート加工され、垂直部７２１の端部が曲げ加工されて剛性を高めるように加工されている。なお、第２支持部７２は、板金に限らず、他の剛性の高い材料で形成してもよい。
【００５９】
図２、図４に示すように、第２支持部７２は、水平部７２２の外面が第１支持部７１の上面と当接し、垂直部７２１が第１支持部７１の上面に対して上方向に突出するように、複数のネジＳＣによって第１支持部７１に取付けられている。
【００６０】
第１筐体５は、側壁５１５（図５参照）が面７２１Ａに対向する向きで、ネジＳＣが孔５１７に挿通されて第１支持部７１に取付けられる。つまり、第１筐体５は、第１レンズアレイ２１２および第２レンズアレイ２１３の近傍が第１支持部７１に締結される。
第２筐体６は、側壁６１１が垂直部７２１の面７２１Ｂと当接し、図示しないネジが孔６１４に挿通されて第２支持部７２に取付けられる。
このように、第１筐体５は、第１支持部７１に保持され、第２筐体６は、第２支持部７２に保持され、互いが分離して保持部材７に保持されている。
【００６１】
以上説明したように、本実施形態のプロジェクタ１によれば、以下の効果を得ることができる。
（１）本実施形態のプロジェクタ１によれば、第２筐体６には、照明光学装置２１０の重量負荷が加わらない。これによって、光学部品を収納する光学部品用筐体が一体的に構成された場合に比べて、冷却ファン４の駆動等に伴う振動が発生した際の、色分離光学装置２３０や画像形成装置２７０等に加わる振動負荷を軽減させることが可能となる。したがって、プロジェクタ１は、画質の良好な画像光を形成して投写することが可能となる。
【００６２】
（２）本実施形態のプロジェクタ１によれば、第１筐体５は、プロジェクタ１の据置き状態において、下方に配置される第１支持部７１に保持されている。これによって、例えば、第１筐体５が側方に配置された保持部材に片持ちによって保持される場合に比べて、照明光学装置２１０をバランス良く支えることが可能となる。よって、冷却ファン４の駆動等に伴う振動が発生した際に、第１筐体５の振動が抑制されるので、色分離光学装置２３０や画像形成装置２７０等に伝達される振動負荷を軽減することが可能となる。
【００６３】
（３）本実施形態のプロジェクタ１によれば、第１筐体５は、第１レンズアレイ２１２および第２レンズアレイ２１３の近傍が第１支持部７１に締結されているので、第１レンズアレイ２１２および第２レンズアレイ２１３は、第１支持部７１に対して強固に位置決めされることが可能となる。これによって、冷却ファン４の駆動等に伴う振動が発生した際に、第１レンズアレイ２１２および第２レンズアレイ２１３が振動することが抑制されるので、照明ムラ等が抑制されてさらに画質の良好な画像光を投写することが可能となる。
【００６４】
（４）本実施形態のプロジェクタ１によれば、画像形成装置２７０が反射型液晶パネル２７２Ｒ，２７２Ｇ，２７２Ｂを備えているので、解像度の高い画像光を投写することが可能となる。
【００６５】
（５）本実施形態のプロジェクタ１によれば、第１筐体５のみ、あるいは第２筐体６のみの交換が容易にできるので、例えば、熱によってダメージを受けた際の第１筐体５のみを交換する等が可能となり、アフターサービス対応が容易になる。また、アフターサービスにおける交換部品の低コスト化を図ることが可能となる。
【００６６】
（６）本実施形態のプロジェクタ１によれば、第１筐体５と第２筐体６とを異なった材料で形成することができるので、それぞれの機能に対応した材料を選択することができると共に、低コストを図ることが可能となる。
また、第１筐体５および第２筐体６は、一体的に構成されている場合に比べて、重量を増やさなくとも剛性を高めることができるので、軽量化を図ることが可能となる。
【００６７】
（７）本実施形態のプロジェクタ１によれば、第１筐体５のみ、あるいは第２筐体６のみの交換が容易に可能なので、製品仕様の変更、例えば照明光学装置２１０のみ、あるいは色分離光学装置２３０のみの仕様変更を容易に行うことが可能となる。
【００６８】
（変形例）
なお、前記実施形態は、以下のように変更してもよい。
第２筐体６は、画像形成装置２７０を収納するように構成してもよく、色分離光学装置２３０および画像形成装置２７０の、少なくとも色分離光学装置２３０を収納するように構成すればよい。
【００６９】
前記実施形態の重畳レンズ２２０は、第２筐体６に収納されているが、第１筐体５に収納するように構成してもよい。
【００７０】
前記実施形態の保持部材７は、第１支持部７１と第２支持部７２とが別体で構成されているが、一体的に構成してもよい。
【００７１】
前記実施形態の保持部材７を外装筐体３、例えば、据置き状態における下面側を構成するロアーケースと一体的に構成してもよい。また、第１支持部７１のみをロアーケースと一体的に構成してもよい。これによって、部品点数を削減することが可能となり、生産効率の向上、低コスト化を図ることが可能となる。
【００７２】
前記実施形態のプロジェクタ１は、光変調装置として反射型液晶パネル２７２Ｒ，２７２Ｇ，２７２Ｂを用いているが、透過型の液晶パネルを利用したものであってもよい。
【００７３】
前記実施形態のプロジェクタ１は、フロントタイプのプロジェクタ１として適用しているが、投写対象面としてのスクリーンを一体で有するリアタイプのプロジェクタにも適用できる。
【図面の簡単な説明】
【００７４】
【図１】プロジェクタの概略構成を模式的に示す図。
【図２】光学ユニットを前方上側から見た斜視図。
【図３】光学ユニットを後方上側から見た斜視図。
【図４】第１筐体および第２筐体を保持部材から分解した状態を示す斜視図。
【図５】下ケースおよび下ケースに収納される光学部品を示す斜視図。
【図６】右ケースおよび右ケースに収納される光学部品を示す斜視図。
【図７】Ｂダイクロイックミラー、ＲＧダイクロイックミラーおよびホルダユニットを示す斜視図。
【符号の説明】
【００７５】
１…プロジェクタ、２…光学ユニット、３…外装筐体、４…冷却ファン、５…第１筐体、６…第２筐体、７…保持部材、５１…下ケース、５２…上ケース、６１…右ケース、６２…左ケース、７１…第１支持部、７２…第２支持部、２１０…照明光学装置、２１１…光源装置、２１２…第１レンズアレイ、２１３…第２レンズアレイ、２３０…色分離光学装置、２７０…画像形成装置、２７２Ｒ，２７２Ｇ，２７２Ｂ…反射型液晶パネル、２７３…クロスダイクロイックプリズム、２８０…投写レンズ、２１１１…光源。
【図１】
0005347346.tif 000002
【図２】
0005347346.tif 000003
【図３】
0005347346.tif 000004
【図４】
0005347346.tif 000005
【図５】
0005347346.tif 000006
【図６】
0005347346.tif 000007
【図７】
0005347346.tif 000008